(57)【要約】【課題】  従来の刈払機は、メインパイプにハンドルが固定されているために、刈払機が発する振動がハンドルのグリップに伝搬します。結果、刈払作業に携わる人は、手や指のしびれ及び疲労感に悩まされます。本発明は、刈払機が発する振動を好適に緩衝する、防震ハンドル付き刈払機を提供する。【解決手段】メインパイプの中央部にハンドルを固設した刈払機において、防震部材と、防震ハンドルと、ハンドル及び防震部材並びに防震ハンドルを支持せしめる支持部材からなり、ハンドル及び防震ハンドルに複数個の防震部材並びに支持部材を配置し、かつ支持部材で支持せしめてハンドルに防震ハンドルを並設する。前記ハンドルに防震ハンドルを並設する手段において、ハンドル及び防震ハンドルを貼着せしめる接着面を両面に設けた棒状の防震部材であり、ハンドル及び防震ハンドルに複数個の防震部材を配置し、かつ接着面にハンドル並びに防震ハンドルを接着する。【選択図】図２
2015156849.tif 000002
【特許請求の範囲】
【請求項１】
メインパイプの前端に回転刃を設け、中央部にハンドルを設け、後端にエンジンを設けた刈払機において、ハンドルに挿着せしめる防震部材と、両端にグリップを設けた防震ハンドルと、ハンドル及び防震部材並びに防震ハンドルを支持せしめる支持部材からなり、ハンドル及び防震ハンドルに複数個の防震部材並びに支持部材を配置せしめてかつ支持部材で支持することによりハンドルに防震ハンドルを並設したことを特徴とする、防震ハンドル付き刈払機。
【請求項２】
請求項１記載のハンドルに防震ハンドルを並設せしめる手段において、ハンドル及び防震ハンドルを貼着せしめる接着面を両面に設けた防震部材であり、ハンドル及び防震ハンドルに複数個の防震部材を配置せしめてかつ防震部材の接着面にハンドル並びに防震ハンドルを接着したことを特徴とする、防震ハンドル付き刈払機。
【発明の詳細な説明】
【技術分野】
【０００１】  この発明は、刈払機のエンジンや回転刃が発する振動を好適に緩衝する防震装置を備えた、刈払機に関するものである。
【背景技術】
【０００２】  畑や畔に生えた雑草は刈払機で刈るのが便利です。従来の刈払機は、メインパイプにハンドルが固定されているために、エンジンや回転刃が発する振動はメインパイプを介してハンドルのグリップに伝搬します。結果、刈払作業に携わる人は手や指に振動を受けて、しびれなどの振動傷害に悩まされます。【０００３】  防震対策として、刈払機のパイプケースと防震ハンドルの固定部に防震ゴムを設けて、防震ハンドルに振動が伝搬し難くした（特許文献１）や、ドライブシャフトパイプとクラッチケース間に防震ゴムを設けて、エンジンの振動がドライブシャフトパイプに伝搬し難くした（特許文献２）等が考案されている。
【先行技術文献】
【０００４】
【特許文献１】特開平９−２３３９２８
【特許文献２】実開平７−１１１１３
【発明の概要】
【発明が解決しようとする課題】
【０００５】  刈払作業に使用する刈払機には次のような欠点があった。従来の刈払機は、メインパイプにハンドルが固定具で固定されているために、エンジンや回転刃が発する振動はメインパイプを介してハンドルのグリップに伝搬します。結果、連続使用時間及び使用期間などの曝露条件によっては、手や指のしびれなどの振動傷害及び疲労感に悩まされます。【０００６】  （特許文献１）は、刈払機のパイプケースと防震ハンドルの固定部に複数個の防震ゴムを設けて固定し、パイプケースの振動を防震ゴムが緩衝して防震ハンドルに伝搬し難くする対策が考案されています。しかし、防震ゴムが防震ハンドルの中央部に設けられているために、防震ゴムの緩衝代程度の動きでも防震ハンドルのグリップでは大きな動きとなって防震ハンドルの遊びは大きくなる。結果、遊びの影響で防震ハンドルの力が回転刃に伝わり難くなり、回転刃の微妙な操作も困難となって危険である。さらに、防震装置が複雑で部品数も多く高コストとなる。【０００７】  （特許文献２）は、刈払機のドライブシャフトパイプとクラッチケース間に防震ゴムを設け、エンジンの振動を防震ゴムが緩衝してドライブシャフトパイプに伝搬し難くする対策が考案されています。しかし、防震ゴムの緩衝性を高めるためには防震ゴムの柔軟性を増す必要が有る。結果、ドライブシャフトパイプに対してクラッチケースがエンジンの重量でたわむために防震ゴムの柔軟性を増すには限界があり、有効な防震効果が得られ難い。さらに、エンジンの回転が上がって遠心クラッチとクラッチドラムが繋がると、エンジンの振動がドライブシャフトパイプに伝搬し易いなどの欠点があります。
本発明は、以上の問題点を解決するために発明されたものである。
【課題を解決するための手段】
【０００８】  メインパイプの前端に回転刃を設け、中央部にハンドルを設け、後端にエンジンを設けた刈払機において、ハンドルに挿着せしめる筒状の防震部材と、両端にグリップを設けた防震ハンドルと、ハンドル及び防震部材並びに防震ハンドルを支持せしめる支持部材からなり、ハンドル及び防震ハンドルに複数個の防震部材並びに支持部材を配置せしめてかつ支持部材で支持することによりハンドルに防震ハンドルを並設する。【０００９】  上記ハンドルに防震ハンドルを並設せしめる手段において、ハンドル及び防震ハンドルを貼着せしめる接着面を両面に設けた棒状の防震部材であり、ハンドル及び防震ハンドルに複数個の防震部材を配置せしめてかつ防震部材の接着面にハンドル並びに防震ハンドルを接着する。
以上の構成よりなる防震ハンドル付き刈払機。
【発明の効果】
【００１０】  本発明を使用すれば、刈払機のエンジンや回転刃が発する振動はハンドルまでは伝搬しますが、ハンドルに設けた防震部材の緩衝効果により振動は緩衝されて防震ハンドルには伝搬し難くなっている。結果、農業や林業で長時間に亘って刈払作業に携わる人が経験する、手や指のしびれなどの振動傷害及び疲労が好適に軽減される。【００１１】  また本発明は、防震部材を防震ハンドルのグリップ近くに設けることで、防震ハンドルの遊びは防震部材の緩衝代以内に抑えられる。結果、防震ハンドルの遊びは小さく、遊びの影響を受け難いので防震ハンドルの力が回転刃に伝わりやすく、回転刃の微妙な操作も可能となり安全である。さらに、防震対策を構成する部品数も少なく低コストで提供できる。
【図面の簡単な説明】
【００１２】
【図１】筒状の防震部材と支持部材の構成状態を示す斜視図。
【図２】ハンドルと防震ハンドルを支持部材で支持した刈払機の斜視図。
【図３】棒状の防震部材の斜視図。
【図４】ハンドルと防震ハンドルを防震部材で貼着した刈払機の斜視図。
【発明を実施するための最良の形態】
【００１３】  以下、発明を実施するための形態を図１〜図４の斜視図に基づいて説明する。
（イ）、メインパイプ（１）の前端に回転刃（２）を設け、中央部にハンドル（３）を設け、後端にエンジン（４）を設けた刈払機（５）において、ハンドル（３）に挿着せしめる穿孔を設けた筒状の防震部材（６）と、両端にグリップ（７）を挿設した防震ハンドル（８）と、ハンドル（３）及び防震部材（６）並びに防震ハンドル（８）を支持せしめる支持部材（９）からなり、ハンドル（３）及び防震ハンドル（８）に複数個の防震部材（６）並びに支持部材（９）を配置せしめてかつ支持部材（９）で支持することによりハンドル（３）に防震ハンドル（８）を並設する。
（ロ）、上記ハンドル（３）に防震ハンドル（８）を並設せしめる手段において、ハンドル（３）の周部及び防震ハンドル（８）の周部を貼着せしめる接着面（１０、１１）を両面に設けた棒状の防震部材（１２）であり、ハンドル（３）及び防震ハンドル（８）に複数個の防震部材（１２）を配置せしめてかつ防震部材（１２）の接着面（１０）にハンドル（３）を接着し並びに接着面（１１）に防震ハンドル（８）を接着する。
なお、「複数個とは、防震部材の材質、形状及び長さにより防震効果が異なるので、２個〜１０個を言う」。
本発明は以上の構成よりなる。【００１４】  本発明は以上の構成からなるので本発明を使用するときは、エンジン（４）を始動し、刈払機（５）を装着し、防震ハンドル（８）の両端のグリップ（７）を握って回転刃（２）を操作する方法は従来の刈払機と同様である。
本発明では、刈払機（５）のエンジン（４）や回転刃（２）が発する振動は刈払機（５）のメインパイプ（１）に伝搬し、メインパイプ（１）に固設されたハンドル（３）を振動させます。しかし、ハンドル（３）及び防震ハンドル（８）に配置せしめた筒状の防震部材（６）並びに棒状の防震部材（１２）の緩衝効果によりハンドル（３）の振動は好適に緩衝される。
結果、刈払機（５）のエンジン（４）や回転刃（２）が発する振動は防震ハンドル（８）の両端のグリップ（７）には伝搬し難く、好適な操作が可能となる。
【符号の説明】
【００１５】１      メインパイプ
２      回転刃
３      ハンドル
４      エンジン
５      刈払機
６      防震部材
７      グリップ
８      防震ハンドル
９      支持部材
１０    接着面
１１    接着面
１２    防震部材
【図１】
2015156849.tif 000003
【図２】
2015156849.tif 000004
【図３】
2015156849.tif 000005
【図４】
2015156849.tif 000006